(57)【特許請求の範囲】
【請求項１】
窓枠（３）内に障子（４）を配置していて、当該障子（４）の上部が下方へ移動するとともに前記障子（４）の下部が前記窓枠（３）から離れる方向へ移動することで前記障子（４）が傾斜状に開かれる辷り出し窓（１）において、前記障子（４）を全閉姿勢で保持するロック装置（１５）であって、
前記障子（４）に設けている係止部（３０）と、前記窓枠（３）の下枠（３ｂ）に沿って左右方向へ延びるように取り付けている横ベース（３１）に左右方向へスライド移動可能に支持されているスライドラック（３２）と、前記横ベース（３１）に揺動可能に支持されていて前記スライドラック（３２）によって揺動駆動されるフック（３３）と、前記横ベース（３１）に左右方向へスライド移動可能に支持されていて前記障子（４）の開閉に連動して前記スライドラック（３２）を押し動かすための押圧部材（３９）と、前記スライドラック（３２）を前記押圧部材（３９）側へ付勢する付勢手段（５４）とを有しており、
前記障子（４）が前記全閉姿勢になる際に、前記押圧部材（３９）が前記スライドラック（３２）を押すことで当該スライドラック（３２）が前記フック（３３）を揺動させて当該フック（３３）によって前記係止部（３０）を係止させ、前記障子（４）が開く際には、前記押圧部材（３９）が前記スライドラック（３２）から離れて当該スライドラック（３２）が前記付勢手段（５４）によって前記押圧部材（３９）側へ移動することで前記フック（３３）が揺動して前記係止部（３０）から外れることを特徴とする辷り出し窓（１）のロック装置（１５）。
【請求項２】
前記係止部（３０）を前記障子（４）の左右方向の両側にそれぞれ設けていて、それに対応するように前記フック（３３）・（３３）と前記スライドラック（３２）・（３２）と前記押圧部材（３９）・（３９）とをそれぞれ設けており、
両押圧部材（３９）・（３９）は、前記窓枠（３）の下枠（３ｂ）に沿って左右方向へ延びるラック（３４）・（３５）にそれぞれ取り付けていて、前記ラック（３４）・（３５）とピニオン（３６）・（３７）とによって互いに逆方向へスライド移動するように構成しており、
前記各ラック（３４）・（３５）は上下に並べて配置していて、一方のピニオン（３６）が一方のラック（３４）に噛合するとともに、他方のピニオン（３７）が他方のラック（３５）に噛合しており、
一方のピニオン（３６）と他方のピニオン（３７）とは、前記横ベース（３１）に回転可能に支持されているとともに互いに噛合していることを特徴とする請求項１記載の辷り出し窓（１）のロック装置（１５）。
【請求項３】
前記押圧部材（３９）は、前記辷り出し窓（１）を開閉操作する開閉操作装置（１２）と連動して左右方向へスライド移動するようになっていて、前記障子（４）が閉じられるに従って前記スライドラック（３２）に近づくことを特徴とする請求項１または２記載の辷り出し窓（１）のロック装置（１５）。
【発明の詳細な説明】
【技術分野】
【０００１】
本発明は、辷り出し窓の障子を全閉姿勢でロックするロック装置に関するものである。
【背景技術】
【０００２】
オフィスビルなどの建物において、その外壁に、いわゆる辷り出し窓を設置したものがある。その辷り出し窓は、例えば特許文献１に示すように、窓枠の縦枠の上端内側の左右に配置したガイドレールに、障子の上端左右に配置したスライダーを上下移動可能に係合するとともに、前記縦枠および前記障子の上下方向の中間に上下揺動可能な開閉用アームを掛け渡している。
【０００３】
そして、前記障子は、オペレータ（開閉操作装置）での操作に応じて、上部が下方へ移動するとともに下部が建物の外方へ辷り出し移動して傾斜状に開くようになっている。その開いている障子は、自然風の風圧に応じて傾斜角度が変化するようになっている。
【０００４】
また、特許文献１の辷り出し窓では、窓枠の下枠（無目）と障子の下框とを引寄せアームで接続している。その引寄せアームは、無目側アームと障子側アームとをつなげて構成しており、オペレータでの操作に応じて前記引寄せアームが屈曲姿勢になることで、障子が閉じられる。その障子が閉じられたときには、窓枠の下枠に取り付けたスライドフックが左右方向へスライド移動して障子の下框に取り付けたロックピンが係止されて、障子が閉じた状態でロック（保持）されるようになっている。
【先行技術文献】
【特許文献】
【０００５】
【特許文献１】実開平２００８−３０８９３０号公報
【発明の概要】
【発明が解決しようとする課題】
【０００６】
前記特許文献１の辷り出し窓では、スライドフックが左右方向へスライド移動する分だけ辷り出し窓の左右方向の寸法を大きくする必要があり、それによって辷り出し窓のロック機構の小型化が図れないことになる。
【０００７】
本発明は、かかる不都合を解決することを目的として提供されたものであり、障子を全閉姿勢で確実にロックできながら小型化が図れる辷り出し窓のロック装置を提供することにある。
【課題を解決するための手段】
【０００８】
本発明は、かかる不都合を解決するために、窓枠３内に障子４を配置していて、障子４の上部が下方へ移動するとともに障子４の下部が窓枠３から離れる方向へ移動することで障子４が傾斜状に開かれる辷り出し窓１において、障子４を全閉姿勢で保持するロック装置１５であって、障子４に設けている係止部３０と、窓枠３の下枠３ｂに沿って左右方向へ延びるように取り付けている横ベース３１に左右方向へスライド移動可能に支持されているスライドラック３２と、横ベース３１に揺動可能に支持されていてスライドラック３２によって揺動駆動されるフック３３と、横ベース３１に左右方向へスライド移動可能に支持されていて障子４の開閉に連動してスライドラック３２を押し動かすための押圧部材３９と、スライドラック３２を押圧部材３９側へ付勢する付勢手段５４とを有しており、障子４が全閉姿勢になる際に、押圧部材３９がスライドラック３２を押すことでスライドラック３２がフック３３を揺動させてフック３３によって係止部３０を係止させ、障子４が開く際には、押圧部材３９がスライドラック３２から離れてスライドラック３２が付勢手段５４によって押圧部材３９側へ移動することでフック３３が揺動して係止部３０から外れることを特徴とする。
【０００９】
ここでの障子４の全閉姿勢には、障子４がわずかに開いている状態も含まれる。横ベース３１は、窓枠３の下枠３ｂに直接取り付けている（固定している）場合や、下枠３ｂに固定した部材を介して前記下枠３ｂに取り付けている場合などが該当する。ここでは、フック３３に一体に設けた軸でフック３３を横ベース３１に揺動可能に支持する場合や、横ベース３１に設けた軸でフック３３を揺動可能に支持する場合などが該当する。付勢手段５４には、ねじりコイルばねや板ばねなどが該当する。
【００１０】
詳しくは、係止部３０を障子４の左右両側にそれぞれ設けていて、それに対応するようにフック３３・３３とスライドラック３２・３２と押圧部材３９・３９とをそれぞれ設けており、両押圧部材３９・３９は、窓枠３の下枠３ｂに沿って左右方向へ延びるラック３４・３５にそれぞれ取り付けていて、ラック３４・３５とピニオン３６・３７とによって互いに逆方向へスライド移動するように構成しており、各ラック３４・３５は上下に並べて配置していて、一方のピニオン３６が一方のラック３４に噛合するとともに、他方のピニオン３７が他方のラック３５に噛合しており、一方のピニオン３６と他方のピニオン３７とは、横ベース３１に回転可能に支持されているとともに互いに噛合している。
【００１１】
ここでは、係止部３０の位置に対応してフック３３とスライドラック３２と押圧部材３９との位置を合わせるのみならず、それらの向きなども対応させることも含まれる。二つの押圧部材３９・３９を直接、障子４の開閉に連動させる場合と、二つのピニオン３６・３７または二つのスライドラック３２・３２のうちのいずれかを障子４の開閉に連動させることで押圧部材３９・３９を障子４の開閉に連動させる場合とが含まれる。
【００１２】
押圧部材３９は、辷り出し窓１を開閉操作する開閉操作装置１２と連動して左右方向へスライド移動するようになっていて、障子４が閉じられるに従ってスライドラック３２に近づくようになっている。ここでの開閉操作装置１２には、手動式のハンドルやモータなどでワイヤを巻き取るハンドルボックスや、空気圧モータなどのアクチュエータを用いてワイヤを巻き取るものなどが該当する。
【発明の効果】
【００１３】
本発明では、フック３３を、窓枠３の下枠３ｂに取り付けている横ベース３１に揺動可能に支持しているので、例えばフック３３を障子４の開閉に連動して左右方向へスライド移動する部材に配置する場合よりも、当該フック３３が左右方向などへがたつく可能性が低くなる。その結果、障子４が全閉姿勢になったときに、係止部３０をフック３３によって確実に係止して障子４をロックすることができる。そのうえ、フック３３をスライド移動する部材をなくせる分だけ部品点数を減らしてロック装置１５の小型化を図ることができる。
【００１４】
係止部３０、フック３３、スライドラック３２および押圧部材３９を左右両側に設けていてると、障子４をより確実にロックすることができる。そのうえで、各ラック３４・３５にそれぞれ噛合するピニオン３６・３７どうしが互いに噛合しているので、一方のピニオン３６と他方のピニオン３７とを別部材の歯車などで連結する場合よりも部品点数を減らすことができる。それによっても障子４を全閉姿勢で確実にロックできながらロック装置１５の小型化が図れるとともに、部品管理や組み立ての手間などを軽減することができる。
【００１５】
押圧部材３９が、障子４が閉じられるに従ってスライドラック５６に近づくようになっていると、障子４が閉じられる際の押圧部材３９とスライドラック５６との位置関係を目視で確認できて、障子４の閉じ動作に対するフック５４の揺動のタイミングの調節を容易に行うことができる。
【図面の簡単な説明】
【００１６】
【図１】本発明に係る辷り出し窓の縦断側面図である。
【図２】本発明の辷り出し窓の正面図である。
【図３】障子が換気姿勢のときの状態を示す縦断側面図である。
【図４】障子が排煙姿勢のときの状態を示す縦断側面図である。
【図５】開閉装置の動作を説明するための縦断側面図である。
【図６】本発明のロック装置でのロック状態を示す横断平面図である。
【図７】ロック解除状態を示す横断平面図である。
【図８】図６のＡ―Ａ線矢視断面図である。
【図９】ロック装置のピニオンの正面図である。
【発明を実施するための形態】
【００１７】
本発明に係る辷り出し窓の一実施例を図面に基づいて説明する。その辷り出し窓１は、オフィスビルなどの建物の外壁などに形成した開口に取り付けるようになっている。
【００１８】
前記辷り出し窓１は、図２に示すように、方形状に枠組みした窓枠３内に障子４を配置しており、その障子４は、方形状に枠組みした框６内に板ガラス７を装着している。障子４の上端部の左右には、図１に示す障子ローラ８をそれぞれ配置しており、窓枠３の左右の縦枠３ａの上端部の内面側には、上下方向へ延びているスライドレール９をそれぞれ取り付けている。そのスライドレール９には、前記障子ローラ８が上下方向へ移動可能に係合している。
【００１９】
図１に示すように、障子４の框６での左右の縦框６ａの上部と窓枠３の左右の縦枠３ａでの上下方向の中間とに亘って上下方向へ揺動自在な揺動アーム１１をそれぞれ掛け渡している。そして、障子４の上部が、その自重でスライドレール９に沿って下方へ移動するとともに、揺動アーム１１によって障子４の下部が窓枠３から離れる方向（建物外方）へ移動することで、障子４が傾斜状に開かれる（図３や図４の状態参照）。
【００２０】
前記建物の内壁などの適所には、図２に示すハンドルボックス（開閉操作装置）１２を設けており、そのハンドルボックス１２には、ハンドル１２ａと換気用釦１２ｂと排煙用釦１２ｃとを設けている。そして、ハンドルボックス１２のハンドル１２ａを回すことで障子４が閉じられるように構成している。
【００２１】
その障子４を閉じた状態（図１の状態）でハンドルボックス１２の換気用釦１２ｂを押すと、障子４が所定の換気姿勢（図３の姿勢）に開かれる。また、前記障子４を閉じた状態または障子４が前記換気姿勢に開かれている状態で、ハンドルボックス１２の排煙用釦１２ｃを押すと、障子４が所定の排煙姿勢（図４の姿勢）まで開かれる。その排煙姿勢での障子４の開度（窓枠３に対する障子４の傾斜角度）は、前記換気姿勢での障子４の開度よりも大きくなっている。障子４は、換気姿勢または排煙姿勢に開いている状態で自然風を受けたときには、その自然風の風圧に応じた開度に揺動する。つまり、障子４は、前記自然風の風圧と当該障子４の自重とのバランスした角度に揺動する。なお、障子４には、開度調節のためのバランサ（錘）を取り付けてもよい。そのバランサは、例えば框６の上框６ｃの上面に配置することが好ましい。
【００２２】
前記辷り出し窓１の左右には開閉装置１３・１３をそれぞれ設けている。その各開閉装置１３は、図１および図３に示すように、窓枠３の縦枠３ａの建物内方側に沿って上下方向へ延びるように取り付けている縦ベース１６と、その縦ベース１６の上端部に固定していて第１ワイヤ１７を掛けている固定滑車１８と、障子４の縦框６ａの上部から建物内方へ突出するように設けている傾斜規制用ブラケット２０とをそれぞれ有している。縦ベース１６には、上下方向へ延びている一対のガイドレール１４・１４を設けている。傾斜規制用ブラケット２０の突出先端側（建物内方側）には、開閉用ローラ１９を回転自在に配置している。その開閉用ローラ１９は合成樹脂などで形成している。
【００２３】
また、前記開閉装置１３には、前記縦ベース１６のガイドレール１４・１４にそれぞれ係合する４個のガイドローラ２１を有していて縦ベース１６に対して昇降移動可能に支持されている開閉用ブラケット２２と、縦ベース１６のガイドレール１４・１４にそれぞれ係合する４個のガイドローラ２３を有していて縦ベース１６に対して昇降移動可能に支持されている押圧用ブラケット２４とを有している。
【００２４】
前記ガイドレール１４・１４は、前記縦ベース１６の建物の内外方向（図１では左右方向）に並べて配置している。前記開閉用ブラケット２２には動滑車２５を配置しており、前記第１ワイヤ１７の一端を前記固定滑車１８および前記動滑車２５を介して縦ベース１６の上端に固定している。開閉用ブラケット２２は、傾斜規制用ブラケット２０の開閉用ローラ１９の下端側（下側部分）を受け止め可能になっている。開閉用ブラケット２２には、引っ張りバネ２６（昇降駆動手段）の一端（上端）を係止していて、その引っ張りバネ２６の他端（下端）を前記縦ベース１６の下端部に係止しており、引っ張りバネ２６によって開閉用ブラケット２２が下方へ付勢されている。なお、引っ張りバネ２６は、例えば建物の内外方向に複数本並べて配置してもよい。
【００２５】
前記押圧用ブラケット２４は、上下２つに分かれており、その上側ブラケット部２４ａと下側ブラケット部２４ｂとを上下方向へ延びる連結部２４ｃによって連結している。上下の各ブラケット部２４ａ・２４ｂには、前記ガイドローラ２３をそれぞれ２個ずつ配置している。押圧用ブラケット２４は、その自重によって上側ブラケット部２４ａが傾斜規制用ブラケット２０の開閉用ローラ１９の上端側（上側部分）に当接するようになっており、障子４の開閉に伴う傾斜規制用ブラケット２０（開閉用ローラ１９）の昇降に対応して、その傾斜規制用ブラケット２０の開閉用ローラ１９に当接している状態で傾斜規制用ブラケット２０と共に昇降可能になっている。
【００２６】
開閉用ブラケット２２の下端の建物内方側には当接部２７を設けており、その当接部２７に臨ませて押圧用ブラケット２４の下側ブラケット部２４ｂの上端の建物内方側に、前記当接部２７に当接可能な当接部２８を設けている。前記当接部２７および前記当接部２８は合成樹脂などで形成している。
【００２７】
そして、例えば、前記ハンドルボックス１２の換気用釦１２ｂが押されたことで障子４が開いているときに、ハンドルボックス１２の排煙用釦１２ｃが押されると開閉用ブラケット２２が下降する。その際、障子４が自然風の風圧によって閉じ方向側（建物内方側）へ姿勢変更していると（図５の状態）、図５に示すように、開閉用ブラケット２２の前記当接部２７が傾斜規制用ブラケット２０と共に上昇している押圧用ブラケット２４の下側ブラケット部２４ｂの前記当接部２８に当接して、当該押圧用ブラケット２４を押し下げる。
【００２８】
すると、押圧用ブラケット２４の上側ブラケット部２４ａが、傾斜規制用ブラケット２０の開閉用ローラ１９の上端側に当接して傾斜規制用ブラケット２０を強制的に押し下げて障子４を建物外方へ押し、それによって障子４が開かれる。
【００２９】
つまり、例えば火事の際に排煙しようとしても、その際に障子４に自然風が強く当たっていると障子４が閉じ方向へ姿勢変更して、障子４が開閉用ブラケット２２の下降に追従して開くことが困難になる。その場合、適正かつ迅速な排煙が行われないことになる。その対策として、前述のように押圧用ブラケット２４を強制的に押し下げて、障子４を確実に排煙姿勢に傾斜させるようにしている。なお、押圧用ブラケット２４で傾斜規制用ブラケット２０をある程度まで押し下げると、その後は、障子４は自重で排煙姿勢まで自然に傾斜する。
【００３０】
また、例えば、障子４が全閉姿勢（図１の姿勢）のときに、その障子４の框６が窓枠３の建物外方側に設けている止水部材２９に強く密着して障子４が開き難くなっていても、前述のように押圧用ブラケット２４で傾斜規制用ブラケット２０の開閉用ローラ１９を強制的に押し下げることで、障子４が建物外方へ押されて障子４の框６が窓枠３の止水部材２９から離れる。それによって障子４を確実に開くことができる。
【００３１】
前記辷り出し窓１には、障子４を全閉姿勢で保持するロック装置１５を有している。そのロック装置１５は、障子４を閉じたときにそれぞれ適正な全閉状態まで引き寄せて保持（ロック）する。
【００３２】
前記ロック装置１５は、図６および図７に示すように、障子４の下框６ｂの建物内方側の左右に設けている係止部３０・３０と、窓枠３の下枠３ｂに沿って左右方向へ延びていてその下枠３ｂに取り付けている横ベース３１と、その横ベース３１に左右方向へスライド移動可能に支持されている左右一対のスライドラック３２・３２と、そのスライドラック３２・３２によって揺動駆動される左右一対のフック３３・３３と、横ベース３１に左右方向へスライド移動可能に支持されていて障子４の開閉に対応して前記スライドラック３２・３２を押し動かすための左右一対の押圧部材３９・３９と、各スライドラック３２を各押圧部材３９側へそれぞれ付勢するねじりコイルばね（付勢手段）５４とを有している。
【００３３】
また、前記ロック装置１５は、一端部（図６では左側）に一方の押圧部材３９を取り付けている第１ラック３４と、一端部（図６では右側）に他方の押圧部材３９を取り付けている第２ラック３５と、各ラック３４・３５にそれぞれ歯合するピニオン３６・３７とを有している。各ラック３４・３５は、それぞれ窓枠３の下枠３ｂに沿って左右方向へ延びている。
【００３４】
前記横ベース３１には、図８に示すように、窓枠３の下枠３ｂに沿って左右方向へ延びている上下二段のガイドレール４３・４４を設けている。それらのガイドレール４３・４４には、各ラック３４・３５に設けている複数個のガイドローラ４５・４６をそれぞれ係合している。第２ラック３５が第１ラック３４の上側に配置されている。
【００３５】
第１ピニオン３６の下部が、図８および図９に示すように、第１ラック３４に噛合しており、第２ピニオン３７の上部が第２ラック３５に噛合している。また、第１ピニオン３６の上部と第２ピニオン３７の下部とが互いに噛合している。それにより、第１ピニオン３６が回転したときには、第２ピニオン３７が第１ピニオン３６と反対方向に回転して、第２ラック３５が第１ラック３４とは反対方向へスライド移動する。
【００３６】
前記横ベース３１の左右方向の中央には、図６に示すように、前記ピニオン３６・３７をそれぞれ軸支する支持台３８を取り付けている。つまり、前記ピニオン３６・３７は、支持台３８を介して横ベース３１に回転可能に支持されている。その支持台３８には、前記各第１ワイヤ１７・１７の他端側を方向転換滑車４０・４０を介してそれぞれ掛けている左右一対の駆動滑車４１・４２を取り付けている。その各第１ワイヤ１７の他端は左右の押圧部材３９・３９にそれぞれ固定している。なお、複数の滑車で各方向転換滑車４０を構成してもよい。
【００３７】
前記各係止部３０は、障子４の下框６ｂに取り付けている基台３０ａと、その基台３０ａ上に直立状に設けていて前記フック３３に係止される円柱形状のロックピン３０ｂとを有している。各フック３３は、先端側（建物外方側）を鉤状に形成しており、それらの鉤状の先端がそれぞれ窓枠３の下枠３ｂ（横ベース３１）の左右方向の中央側へ向いている。フック３３は、基端側（建物内方側）に設けている揺動軸４８で横ベース３１に固定している基板４９に揺動自在に支持している。
【００３８】
前記各スライドラック３２には、フック３３の基端側に設けている円柱形状の係合ピン５１を係合する凹部３２ａを建物内方側へ向けて形成しており、その係合によってフック３３がスライドラック３２のスライド移動に応じて揺動する。また、各スライドラック３２には、左右方向へ延びる二つの長孔５２・５２をそれぞれ設けており、それらの長孔５２・５２に前記基板４９に直立状に設けている円柱形状の二つの支持ピン５３・５３がそれぞれ係合しており、それによってスライドラック３２の左右方向への移動がガイドされる。スライドラック３２と基板４９との間にはねじりコイルばね５４を配置しており、そのねじりコイルばね５４によって各スライドラック３２を横ベース３１の左右方向の中央側、すなわち押圧部材３９側へそれぞれ付勢している。
【００３９】
前記各押圧部材３９は、前記ラック３４・３５に取り付けている基台５５と、その基台５５上に立設している押圧板５６とをそれぞれ有している。そして、障子４が全閉姿勢になる際に、押圧部材３９の押圧板５６がスライドラック３２に当接して押すことで、スライドラック３２がねじりコイルばね５４の付勢力に抗して横ベース３１の左右方向の端側に移動する。それに伴ってフック３３が図６に示すように障子４に対して垂直になる係止姿勢に揺動する。それによってフック３３が係止部３０のロックピン３０ｂを係止して、障子４が引き寄せられるとともに全閉姿勢でロックされる（図６の状態）。
【００４０】
また、障子４が前記全閉姿勢から開く際には、押圧部材３９がスライドラック３２から離れて、スライドラック３２がねじりコイルばね５４の付勢力によって押圧部材３９側へ移動する。すると、フック３３が揺動して、図７に示すように傾斜姿勢に傾斜し、そのフック３３が前記ロックピン３０ｂから外れる（ロックが解除される）。それによって障子４が開かれる。
【００４１】
一方の押圧部材３９（図６では左側）には、その基台５５上に前記ハンドルボックス１２から繰り出された第２ワイヤ５７を掛けている第１引寄せ滑車６０および第３引寄せ滑車６２を有している。一方の基板４９（図６では左側）には、第２引寄せ滑車６１を配置しており、前記第２ワイヤ５７は引寄せ滑車６０・６１・６２の順に掛け渡されている。第２ワイヤ５７の先端は前記横ベース３１の端部（図６では左端）に固定している。
【００４２】
次に、本発明の辷り出し窓１の動作を説明する。障子４が図１に示す全閉姿勢のときには、各開閉用ブラケット２２は引っ張りばね２６によって下方へ引っ張られている一方で、ハンドルボックス１２が第２ワイヤ５７をロックしている。それによって各開閉用ブラケット２２は、障子４が前記全閉姿勢となる所定の高さ位置（図１の位置）で保持されている。
【００４３】
そのとき、左右の各押圧部材３９は横ベース３１の左右方向の端側に位置していて、その各押圧部材３９によって各スライドラック３２が横ベース３１の左右方向の端側へ押される。それによって各フック３３が前記係止姿勢になっていて、全閉姿勢の障子４の係止部３０のロックピン３０ｂをそれぞれ係止している。
【００４４】
その状態で、例えばハンドルボックス１２の換気用釦１２ｂが押されると、ハンドルボックス１２による第２ワイヤ５７のロックが解除されて、ハンドルボックス１２から第２ワイヤ５７が繰り出し可能になる。その際、各引っ張りバネ２６の付勢力によって各開閉用ブラケット２２が下方向へ引っ張られて、各第１ワイヤ１７を介して各押圧部材３９が横ベース３１（窓枠３の下枠３ｂ）の左右方向の中央側へそれぞれ引っ張られる。
【００４５】
その状態で、ハンドルボックス１２から第２ワイヤ５７が逐次繰り出されることで、各ラック３４・３５が横ベース３１（下枠３ｂ）の左右方向の中央側へ移動し、その移動に伴って各押圧部材３９が各スライドラック３２からそれぞれ離れる。すると、各スライドラック３２が、各ねじりコイルばね５４の付勢力でそれぞれ横ベース３１の左右方向の中央側へ移動する。それに伴って各フック３３がそれぞれ傾斜姿勢になって、各フック３３による障子４の各係止部３０のロックピン３０ｂの係止が解除され、障子４を開くことが可能になる。
【００４６】
その際、ハンドルボックス１２からの第２ワイヤ５７の繰り出し量は、障子４の各傾斜規制用ブラケット２０の開閉用ローラ１９を各開閉用ブラケット２２が受け止めたときに（換気位置：図３の位置）、その障子４が前記換気姿勢になる高さになるように設定している。その換気姿勢の障子４は、前述のように自然風の風圧に応じた開度に揺動する。
【００４７】
また、例えば障子４が前記全閉姿勢の状態でハンドルボックス１２の排煙用釦１２ｃが押されたときにも、前述の換気の場合と同様にハンドルボックス１２による第２ワイヤ５７のロックが解除される。すると、各スライドラック３２がそれぞれ横ベース３１の左右方向の中央側へ移動して、各フック３３が斜め外向きの傾斜姿勢になって各フック３３による障子４の各係止部３０のロックピン３０ｂの係止が解除され、障子４を開くことが可能になる。
【００４８】
その際のハンドルボックス１２からの第２ワイヤ５７の繰り出し量は、障子４の各傾斜規制用ブラケット２０の開閉用ローラ１９を各開閉用ブラケット２２が受け止めたときに（排煙位置：図４の位置）、その障子４が前記排煙姿勢になる高さになるように設定している。
【００４９】
また、例えばハンドルボックス１２の換気用釦１２ｂが押されたのちに排煙用釦１２ｃが押されたときに、その際の障子４が自然風の風圧によって閉じ方向側（建物内方側）へ姿勢変更しても、開閉用ブラケット２２が傾斜規制用ブラケット２０と共に上昇している押圧用ブラケット２４を押し下げ、それによって障子４が強制的に開かれる。
【００５０】
障子４が開いている状態でハンドルボックス１２のハンドル１２ａを回すと、第２ワイヤ５７がハンドルボックス１２内に巻き取られ、それに伴って各押圧部材３９が横ベース３１の左右方向の端側へ移動する。その各押圧部材３９によって各第１ワイヤ１７が引っ張られて、各開閉用ブラケット２２が上昇する。
【００５１】
その各開閉用ブラケット２２の上昇によって障子４の各傾斜規制用ブラケット２０の開閉用ローラ１９が押し上げられて障子４が閉じられる。その障子４が図１の全閉姿勢になるときには、各押圧部材３９が各スライドラック３２をそれぞれ横ベース３１の左右方向の端側へ押し、それによって各フック３３が前記係止姿勢に揺動して各係止部３０のロックピン３０ｂをそれぞれ引き寄せた状態で係止する。
【００５２】
このように、フック３３を、窓枠３の下枠３ｂに取り付けている横ベース３１に支持しているので、例えばフック３３を障子４の開閉に連動して左右方向へスライド移動する部材に配置する場合よりも、当該フック３３が左右方向などへがたつく可能性が低くなる。その結果、障子４が全閉姿勢になったときに、係止部３０のロックピン３０ｂをフック３３によって確実に係止して障子４をロックすることができる。
【００５３】
なお、前記説明では、左右の開閉装置１３・１３の各第１ワイヤ１７・１７の他端を駆動滑車４１・４２を介して左右の押圧部材３９・３９にそれぞれ固定しているが、例えば右側の開閉装置１３の第１ワイヤ１７の他端を左側の押圧部材３９に固定してもよい。つまり、左側の押圧部材３９には、左右の開閉装置１３の各第１ワイヤ１７・１７の他端がそれぞれ固定されることになる。その場合、前記駆動滑車４１・４２のうちの右側の駆動滑車４２を省略することができる。
【００５４】
前記説明では、辷り出し窓１の左右に開閉装置１３・１３をそれぞれ設けているが、辷り出し窓１の左右のいずれか一方のみに開閉装置１３を設けてもよい。また、例えば、開閉用ブラケット２２の動滑車２５を省略してもよい。その場合、第１ワイヤ１７の一端は、前記固定滑車１８を介して開閉用ブラケット２２に固定することになる。
【００５５】
図２では、第２ワイヤ５７を辷り出し窓１の下端側から導出しているが、例えば滑車などを用いて辷り出し窓１の上端側から導出するように構成してもよい。第２引寄せ滑車６１および第３引寄せ滑車６２を省略してもよい。その場合、第２ワイヤ５７の先端は、第１引寄せ滑車６０を介して基板４９や横ベース３１に固定することになる。
【００５６】
辷り出し窓１を左右方向に並べ、ひとつのハンドルボックス１２で開閉するように構成してもよい。その場合、例えば各辷り出し窓１の一方の押圧部材３９どうしをレバーなどで連結し、いずれかの辷り出し窓１をハンドルボックス１２で開閉操作すると、各辷り出し窓１が同時に開閉されることになる。
【符号の説明】
【００５７】
１  辷り出し窓
３  窓枠
３ｂ  下枠
４  障子
１２  ハンドルボックス
３０  係止部
３０ｂ  ロックピン
３１  横ベース
３２  スライドラック
３３  フック
３４  第１ラック
３５  第２ラック
３６  第１ピニオン
３７  第２ピニオン
３９  押圧部材
５４  ねじりコイルばね
【図１】
0006416659.tif 000002
【図２】
0006416659.tif 000003
【図３】
0006416659.tif 000004
【図４】
0006416659.tif 000005
【図５】
0006416659.tif 000006
【図６】
0006416659.tif 000007
【図７】
0006416659.tif 000008
【図８】
0006416659.tif 000009
【図９】
0006416659.tif 000010